(57)【要約】【課題】  収納容器を載置する場所がないときにおいても、使用者がその両手を自由に使って作業を行うことができる収納容器を提供すること。【解決手段】  開口部１１を有し、開口部１１を通じて物品を内部に収納可能な物品収納部１０と、平滑面に対して繰り返し貼付及び剥離が可能な粘着層２０を表面に有する粘着部２と、物品収納部１０と粘着部２とを互いに連結する連結部４と、を備える。【選択図】      図１
0003166819.tif 000002
【実用新案登録請求の範囲】
【請求項１】
開口部を有し、前記開口部を通じて物品を内部に収納可能な物品収納部と、
平滑面に対して繰り返し貼付及び剥離が可能な粘着層を表面に有する粘着部と、
前記物品収納部と前記粘着部とを互いに連結する連結部と、を備える収納容器。
【請求項２】
前記粘着層を覆う被貼付面を有する粘着層保護部をさらに備え、
前記被貼付面は、前記粘着層に対して繰り返し貼付及び剥離が可能である、請求項１に記載の収納容器。
【請求項３】
前記物品収納部は、連結紐挿通部を有し、
前記粘着部及び前記粘着層保護部は、挿通孔を有する薄状片によって形成され、
前記連結部は、線状に形成され、前記連結紐挿通部、並びに前記粘着部及び前記粘着層保護部の挿通孔に挿通された上でその両端部が連結されている、請求項２に記載の収納容器。
【請求項４】
前記物品収納部の外側に設けられ、開口部を有し、前記開口部を通じて前記粘着部を内部に収納可能な粘着部収納部をさらに備える請求項１乃至３の何れかに記載の収納容器。
【考案の詳細な説明】
【技術分野】
【０００１】
本考案は、化粧ポーチに代表されるような収納容器に関する。
【背景技術】
【０００２】
従来、化粧品を収納する化粧ポーチ（収納容器）が知られている。この化粧ポーチから例えば化粧用コンパクトを取り出して化粧を行うときは、一方の手で化粧用コンパクト容器を把持すると共に、他方の手で化粧用パフを用いて化粧を行うため、両手が塞がることがある。したがって、洗面台等の上が濡れていたり汚れていたりして、化粧ポーチを載置する場所がないときは、化粧ポーチを脇に挟み、化粧を行うことがあった。しかし、化粧ポーチを脇に挟んだ状態では、化粧品を挟んだ側の腕を自由に動かすことができないため、化粧を行い難かったり、脇を開いてしまい化粧ポーチを床に落としてしまったりすることがあった。
【０００３】
そこで、ポーチ本体と、先端にスカート等のウエストに掛止可能な掛止部が形成され、ポーチ本体に取り付けられた紐状体とを備える化粧ポーチが知られている（例えば、特許文献１参照）。この化粧ポーチでは、掛止部をスカート等のウエストに掛止し、ポーチ本体を吊り下げる。
【先行技術文献】
【特許文献】
【０００４】
【特許文献１】特開２００２―１９７０７号公報
【考案の概要】
【考案が解決しようとする課題】
【０００５】
しかし、上記従来の化粧ポーチは、使用者がワンピース等の掛止部が掛止可能な部分がない衣類を着用している場合は、掛止部をスカート等のウエストに掛止させてポーチ本体を吊り下げることができず、結局、脇に挟んでいた。
【０００６】
また、上記課題は、化粧ポーチに限られるものではなく、収納容器において共通する課題である。
【課題を解決するための手段】
【０００７】
上記課題を解決するために、本考案に係る収納容器は、開口部を有し、前記開口部を通じて物品を内部に収納可能な物品収納部と、平滑面に対して繰り返し貼付及び剥離が可能な粘着層を表面に有する粘着部と、前記物品収納部と前記粘着部とを互いに連結する連結部と、を備える。
【０００８】
この構成によれば、物品収納部を粘着部及び連結部を介して平滑面から吊り下げることができる。これによって、収納容器を載置する場所がないときにおいても、使用者は、その両手を自由に使って作業を行うことができる。
【０００９】
上記考案に係る収納容器において、前記粘着層を覆う被貼付面を有する粘着層保護部をさらに備え、前記被貼付面は、前記粘着層に対して繰り返し貼付及び剥離が可能であってもよい。
【００１０】
このような構成とすると、平滑面から収納容器を取り外したときは、粘着部と粘着層保護部とを貼り合わせて、粘着層の露出を防ぐことができる。
【００１１】
上記考案に係る収納容器において、前記物品収納部は、連結紐挿通部を有し、前記粘着部及び前記粘着層保護部は、挿通孔を有する薄状片によって形成され、前記連結部は、線状に形成され、前記連結紐挿通部、並びに前記粘着部及び前記粘着層保護部の挿通孔に挿通された上でその両端部が連結されていてもよい。
【００１２】
このような構成とすると、粘着部から取り外した粘着層保護部の紛失を防ぐことができる。
【００１３】
上記考案に係る収納容器において、前記物品収納部の外側に設けられ、開口部を有し、前記開口部を通じて前記粘着部を内部に収納可能な粘着部収納部をさらに備えていてもよい。
【００１４】
このような構成とすると、粘着部を粘着部収納部に収納することができ、携帯しやすくなる。
【考案の効果】
【００１５】
本考案は、以上に説明したように構成され、収納容器を載置する場所がないときにおいても、使用者は、その両手を自由に使って作業を行うことができるという効果を奏する。
【図面の簡単な説明】
【００１６】
【図１】本考案の実施の形態１に係る収納容器の構成を示す斜視図である。
【図２】図１の収納容器の使用状態を示す図であり、粘着部を平滑面に貼り付けて、収納容器を吊り下げた状態を示す図である。
【図３】図１の収納容器の使用状態を示す図であり、粘着部を粘着部収納部に収納した状態を示す図である。
【図４】本考案の実施の形態２に係る収納容器の構成を示す斜視図である。
【考案を実施するための形態】
【００１７】
以下、本考案の実施の形態を、図面を参照しながら説明する。なお、以下では全ての図を通じて同一又は相当する要素には同じ参照符号を付して、その重複する説明を省略する。
（実施の形態１）
［構成］
図１は、本考案の実施の形態１に係る収納容器１００の構成を示す斜視図である。本実施の形態においては、収納容器１００は、いわゆる化粧ポーチであり、化粧品を収納するものである。
【００１８】
図１に示すように、本実施の形態の収納容器１００は、本体部１と、粘着部２と、粘着層保護部３と、本体部１と粘着部２と粘着層保護部３とを連結する一対の連結部４とを備えている。
【００１９】
本体部１は、物品収納部１０と、粘着部収容部１５とを備えている。
【００２０】
物品収納部１０は、化粧品等の物品を収納するものであり、１以上の布地を縫合して横長の箱状に形成したものである。そして、物品収納部１０は、化粧品等の物品を出し入れする開口部１１を有している。この開口部１１を通じて化粧品等の物品を物品収納部１０に収納することができる。そして、開口部１１は、この開口部１１に設けられたファスナー１２によって閉鎖可能に構成されている。ファスナー１２は、周知の線ファスナーによって構成することができるので、これ以上の詳しい説明を省略する。
【００２１】
粘着部収容部１５は、粘着部２を収納するものであり、物品収納部１０の布地と他の布地とを互いに縫合して袋状に形成したものである。粘着部収容部１５は、物品収納部１０の外側面に設けられている。そして、粘着部収容部１５は、粘着部２を出し入れする開口部１６を有している。この開口部１６を通じて粘着部２を粘着部収容部１５に収納することができる。
【００２２】
そして、一対の連結紐挿通部１８が、開口部１６近傍の物品収納部１０の外側面に設けられている。そして、この一対の連結紐挿通部１８は、開口部１６が延びる方向に並べられて設けられている。連結紐挿通部１８は、連結部４を挿通するものである。本実施の形態において、連結紐挿通部１８は、矩形の布地の両端部をそれぞれ物品収納部１０の外側面に縫合することによって環状に形成したものである。
【００２３】
粘着部２は、例えば樹脂製の横長の薄状片によって形成され、一方の表面に、粘着層２０が形成されている。粘着層２０は、粘着部２の表面に粘着加工が施されることによって形成されたものである。そして、この粘着層２０は、実質的に平滑な面に対して粘着部２を繰り返し貼付及び剥離することができるものである。粘着層２０の表面に塵、埃等が付着し、粘着強度が低下したときは、水洗いによってこれら塵、埃等を除去し、粘着強度を高めることができる。粘着層２０の表面には、初期保護シート２１が設けられている。この初期保護シート２１は、粘着部２を初めて平滑面に貼り付ける前の粘着層２０に塵、埃等が付着しないように粘着層２０を保護するものである。
【００２４】
そして、粘着部２の縁部には、一対の小円形の挿通孔２２が形成されている。
【００２５】
粘着層保護部３は、例えば樹脂製の横長の薄状片によって形成されている。粘着層保護部３の少なくとも一方の表面は、粘着層２０が繰り返し粘着可能な被貼付面である。本実施の形態において、この被貼付面には、粘着部２の剥離が容易となるよう微細な凸部が多数形成されている。また、粘着層保護部３は、被貼付面の面積が粘着層２０の表面積よりも大きくなるような大きさに形成されている。これによって、粘着部２と粘着層保護部３との正確な位置合わせを要することなく容易に粘着層２０の表面を粘着層保護部３によって覆うことができる。
【００２６】
そして、粘着層保護部３の縁部には、一対の小円形の挿通孔３１が形成されている。本実施の形態において、この一対の挿通孔３１の間隔は、一対の挿通孔２２の間隔と略同一の間隔に形成されている。
【００２７】
一対の連結部４は、それぞれいわゆるボールチェーン（線状体）であるチェーン４０と、チェーン４０の両端のボールそれぞれと係脱可能なコネクタ４１とを備えている。連結部４は、周知のボールチェーン及びコネクタによって構成することができるのでこれ以上の詳しい説明を省略する。なお、本実施の形態においては、連結部４は、チェーン４０とコネクタ４１とを備える構成としたがこれに限られるものではない。例えば、連結部４を紐体とし、この紐体の両端部を互いに結び合わせてもよい。
【００２８】
そして、一対の連結部４のチェーン４０は、それぞれ、各連結紐挿通部１８、粘着部２の各挿通孔２２、及び粘着層保護部３の各挿通孔３１に挿通され、その上で両端のボールが互いにコネクタ４１によって連結されている。これによって、連結部４は、環状に形成されている。また、本体部１、粘着部２、粘着層保護部３が連結部４によって互いに連結される。更に、本体部１、粘着部２、粘着層保護部３は、連結部４に沿わせて動かすことができる。そして、粘着部２及び粘着層保護部３は、粘着層保護部３をチェーン４０に沿わせて粘着部２に向かって動かすことによって、粘着層保護部３の被貼付面と粘着層２０とを対向させ、張り合わせることができるような姿勢に設けられている。また、上述の通り、一対の挿通孔３１の間隔は、一対の挿通孔２２の間隔と略同一の間隔に形成されている。したがって、挿通孔２２と挿通孔３１とが対向するように粘着部２と粘着層保護部３とを位置させてこれらを貼り合わせると、連結部４が粘着部２と粘着層保護部３との間に挟まれることがない。これによって、粘着層２０の表面全体を粘着層保護部３によって覆うことができる。また、粘着層保護部３は、連結部４によって本体部１及び粘着部２と連結されているので、粘着部２から剥離した粘着層保護部３の紛失を防ぐことができる。
【００２９】
［収納容器の使用例］
次に、以上のように構成された収納容器１００の使用例について、図２及び図３を参照しながら説明する。
【００３０】
まず、物品収納部１０から化粧品等の物品を取り出す。
【００３１】
次に、初期保護シート２１を粘着部２から剥離する。この初期保護シート２１は、連結部４から例えば引き千切ることによって、収納容器１００から取り外す。
【００３２】
次に、粘着部２をガラス、タイル等の表面等の平滑面に貼り付ける。図２は、粘着部２をタイル張りの壁面に貼り付けた状態を示すものである。これによって、本体部１及び粘着層保護部３を粘着部２及び連結部４を介して壁面から吊り下げることができる。このように、使用者は、収納容器１００を壁面（平滑面）に取り付けて、その両手を自由に使い、例えば化粧を行うことができる。また、壁面に取り付けた収納容器１００の物品収納部１０から化粧品等の物品を更に取り出したり、物品収納部１０に化粧品等の物品を収納したりすることができる。
【００３３】
次に、化粧が終了すると、壁面から粘着層２０を剥離させ、収納容器１００を取り外し、粘着層２０と粘着層保護部３の被貼付面とを張り合わせる。これによって、粘着層２０の表面を粘着層保護部３によって覆い、塵や埃が粘着層２０に付着して粘着層２０の粘着強度が低下することを防ぐことができる。
【００３４】
次に、図３に示すように、粘着層保護部３と張り合わせた粘着部２を開口部１６を通じて粘着部収容部１５に収納する。これによって、収納容器１００を携帯しやすくなる。また、塵や埃が粘着層２０の周縁部から粘着層保護部３と粘着層２０との間に侵入して粘着層２０に付着し、粘着層２０の粘着強度が低下することを更に防ぐことができる。
【００３５】
なお、再度、収納容器１００を平滑面に取り付けるときは、粘着部２から粘着層保護部３を剥離し、粘着部２を平滑面に貼り付ければよい。このように、繰り返し収納容器１００を平滑面に取り付けることができる。
【００３６】
以上に説明したように、本実施の形態に係る収納容器１００によれば、物品収納部１０を粘着部２及び連結部４を介してタイル、ガラス等の平滑面に取り付けることができる。これによって、洗面台の上が濡れていたり汚れていたりして、収納容器１００を載置する場所がない場合においても、使用者はその両手を自由に使うことができる。
（実施の形態２）
図４は、本考案の実施の形態２に係る収納容器２００の構成を示す斜視図である。本実施の形態においては、収納容器２００は、いわゆる歯ブラシケースであり、歯ブラシ、歯磨き粉等を収納するものである。
【００３７】
実施の形態１に係る収納容器１００の本体部１、粘着部２、及び粘着層保護部３は、横長に形成されていた。これに対し、本実施の形態に係る収納容器２００の本体部２０１、粘着部２０２、及び粘着層保護部２０３は、縦長に形成されている。また、物品収納部２１０の内側面に、吸水性の布地２０４が縫合され、歯ブラシに付着した水分を吸収する。これ以外は、実施の形態１と同じである。
【００３８】
上記では、収納容器は、化粧ポーチ及び歯ブラシケースとして適用したものを例示したが、これに限られるものではなく、物品を収納する容器に適用することができる。
【００３９】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４０】
本考案の収納容器は、物品を収納する容器に有用である。
【符号の説明】
【００４１】
１  本体部
２  粘着部
３  粘着層保護部
４  連結部
１０  物品収納部
１１  開口部
１２  ファスナー
１５  粘着部収容部
１６  開口部
１８  連結紐挿通部
２０  粘着層
２１  初期保護シート
２２  挿通孔
３１  挿通孔
４０  チェーン
４１  コネクタ
１００  収納容器
【図１】
0003166819.tif 000003
【図２】
0003166819.tif 000004
【図３】
0003166819.tif 000005
【図４】
0003166819.tif 000006